(57)【要約】  本発明は、多色光源の光の設定を調節する方法であって、白色、色相及び彩度のうちの少なくとも１つに関する入力をユーザから受け取るステップと、前記ユーザ入力に応じて、前記光源の白色、色相及び彩度を調節するステップとを有する方法に関する。前記方法は、前記ユーザ入力が受け取られる場合に、現在の色相及び彩度のレベルを自動的に変更するステップを特徴とする。この自動的な変更は、その後の設定の調節を前記ユーザにとって知覚可能なものにすることを可能にし、これは、前記光源の前記調節を容易にする。本発明はまた、対応するシステム及びコンピュータプログラム製品にも関する。
2008522358.tif 000002
【特許請求の範囲】
【請求項１】
多色光源の光の設定を調節する方法であり、
白色、色相及び彩度のうちの少なくとも１つに関する入力をユーザから受け取るステップと、
前記ユーザ入力に応じて、前記光源の白色、色相及び彩度を調節するステップとを有する方法であって、
前記ユーザ入力が受け取られる場合に、現在の色相及び彩度のレベルを自動的に変更するステップを更に有することを特徴とする方法。
【請求項２】
現在の前記設定が、知覚可能に黒体軌跡上にあるかどうかを決定するステップと、
そうである場合には、色相及び彩度のうちの１つに関するユーザ入力が受け取られる場合に、前記黒体軌跡から外れた所定の色相及び彩度のレベルに自動的に設定するステップとを更に有する請求項１に記載の方法。
【請求項３】
前記現在の色設定が、所定の期間の間知覚可能に前記黒体軌跡上にあった場合にしか、前記所定の色相及び彩度のレベルに自動的に設定するステップが実行されない請求項２に記載の方法。
【請求項４】
現在の前記設定が、知覚可能に黒体軌跡上にあるかどうかを決定するステップと、
そうでない場合には、白色に関するユーザ入力が受け取られる場合に、前記設定を自動的に前記黒体軌跡へシフトするステップとを更に有する請求項１に記載の方法。
【請求項５】
前記設定が、前記黒体軌跡上の所定の位置へシフトされる請求項４に記載の方法。
【請求項６】
多色光源の光の設定を調節するシステムであって、
白色、色相及び彩度のうちの少なくとも１つに関する入力をユーザから受け取る手段と、
前記ユーザ入力に応じて、前記光源の白色、色相及び彩度を調節する手段と、
前記ユーザ入力が受け取られる場合に、現在の色相及び彩度のレベルを自動的に変更する手段とを有するシステム。
【請求項７】
現在の前記設定が、知覚可能に黒体軌跡上にあるかどうかを決定する手段と、
そうである場合には、色相及び彩度のうちの１つに関するユーザ入力が受け取られる場合に、前記黒体軌跡から外れた所定の色相及び彩度のレベルに自動的に設定する手段とを更に有する請求項６に記載のシステム。
【請求項８】
現在の前記設定が、知覚可能に黒体軌跡上にあるかどうかを決定する手段と、
そうでない場合には、白色に関するユーザ入力が受け取られる場合に、前記設定を自動的に前記黒体軌跡へシフトする手段とを更に有する請求項６に記載のシステム。
【請求項９】
前記設定が、前記黒体軌跡上の所定の位置へシフトされる請求項８に記載のシステム。
【請求項１０】
前記受け取る手段が、第１装置に組み込まれ、前記決定する手段、前記自動的に設定する手段及び前記調節する手段が、第２装置に組み込まれ、前記第２装置が、前記第１装置と通信をしている請求項６乃至９のいずれか一項に記載のシステム。
【請求項１１】
前記第１装置が、遠隔制御装置である請求項１０に記載のシステム。
【請求項１２】
前記ユーザによる前記入力手段の所定の期間の間の起動は、各々、前記調節する手段による、白色、色相及び彩度の加速された調節をもたらす請求項６乃至１０のいずれか一項に記載のシステム。
【請求項１３】
請求項１乃至５のいずれか一項に記載の方法を実行するコンピュータプログラムコードを有するコンピュータプログラム。
【請求項１４】
コンピュータ読み込み可能な媒体であって、前記コンピュータ読み込み可能な媒体に入れられた、請求項１乃至５のいずれか一項に記載の方法を実行するコンピュータプログラムコードを持つコンピュータ読み込み可能な媒体。  
【発明の詳細な説明】
【技術分野】
【０００１】
本発明は、多色光源の光の設定を調節する方法であって、白色、色相及び彩度のうちの少なくとも１つに関する入力をユーザから受け取るステップと、前記ユーザ入力に応じて、前記光源の白色、色相及び彩度を調節するステップとを有する方法に関する。本発明はまた、対応するシステム及びコンピュータプログラム製品にも関する。
【背景技術】
【０００２】
多色光源の光の設定を調節する方法は、IP.COMにおいて、番号IPCOM 00029468Dのもとで出版された文献"Hue & chroma colour setting method"において開示されている。この文献は、光の設定を調節するための３つのステップを有する方法を開示している。まず、所望の白色が選択される。白色は、暖白色から冷白色まで、黒体放射曲線(black radiation curve)又は黒体軌跡(black body locus (BBL))から選択される。BBLは、様々な温度において黒体から発せられる色に対応する色度図（例えばCIE色度図）の点から成る線である。次いで、所望の色又は色相が選択される。これは、選ばれた白色に付加される色である。選択された色は、BBL上の選択された白色の点からのベクトルの選択された角度とみなされ得る。最後に、第３ステップにおいて、所望の彩度が選択される。これは、既に選ばれた色の飽和度又は量である。彩度は、CIE色度図におけるベクトルの長さによって決定される。このようにして、ユーザは、３つの異なる制御手段／入力、即ち、１）白色、２）色相（色）及び３）彩度（飽和度）を用いて、多色光源の光の設定を調節することが出来る。 
【０００３】
しかしながら、IPCOM 00029468Dにおいて開示されている方法には、幾つかの不利な点がある。例えば、色飽和度がゼロであり（ベクトル長がなく）、黒体軌跡上にある場合、色の設定は、「使用不能(disabled)」又は「非アクティブ(inactive)」である、即ち、色が調節される場合に多色光源の出力に変化はないであろう。従って、飽和度ゼロが選択される場合、選択された色を見ることは出来ない。更に、飽和度が最大(full saturation)である場合、白色の設定は、「非アクティブ」である、即ち、白色の調節は、多色光源の出力に何ら影響を及ぼさないであろう。実際には、或る飽和度を超えると、白色の調節は、知覚可能な異なる色をもたらさないであろ。また、色が選択されていない場合の飽和度の調節は、飽和度が調節され得る選択された色がないことから、誤った動作をもたらすであろう。これらのありうる不合理なコマンドは、光源の色の設定及び調節を、ユーザにとって分かりにくいものにする。
【発明の開示】
【発明が解決しようとする課題】
【０００４】
本発明の目的は、多色光源の光の設定を調節するための、改善された方法であって、前記光源の色出力の設定又は調節をユーザにとって容易なものにする方法を提供することにある。
【課題を解決するための手段】
【０００５】
以下の記載から分かるであろうこの目的及び他の目的は、添付されている特許請求の範囲による、方法及び対応するシステムによって達成される。
【０００６】
本発明の態様によれば、ユーザ入力が受け取られる場合に、現在の色相及び彩度のレベルを自動的に変更するステップを更に有する、序文に記載の方法が提供される。
【０００７】
本発明は、前記ユーザ入力が受け取られる場合に、即ち、白色、色相及び彩度のうちの１つが設定されようとする場合に、現在の色相及び彩度のレベルを自動的に変更することによって、その後の設定の調節を前記ユーザにとって知覚可能なようにすることが可能であり、これは、前記光源の前記調節を容易にするという理解に基づいている。前記光源は、不合理なコマンドが与えられる場合、必ず、同様に反応するであろう、これも、前記光源の前記調節を容易にする。 
【０００８】
本発明の一実施例においては、前記方法は、現在の前記設定が、知覚可能に(perceivably)黒体軌跡(BBL)上にあるかどうか、即ち、白色、色相及び彩度の前記現在の設定が、例えばCIE色度図の前記黒体軌跡(BBL)に沿った位置に対応する光出力をもたらすかどうかを決定するステップと、そうである場合には、色相及び彩度のうちの１つに関するユーザ入力が受け取られる場合に、前記BBLから外れた所定の色相及び彩度のレベルに自動的に設定するステップとを更に有する。
【０００９】
「知覚可能に」前記BBL上の設定とは、前記色の設定が、実際に前記BBL上の位置と比べて、人間の目に知覚可能な前記光源からの出力の色の差異がないように、前記BBLに十分に近い、又は前記BBL上にあること意味すると解釈されたい。 
【００１０】
色相又は彩度が調節されようとする場合の、所定の色相及び彩度のレベル、即ち、或る色及び飽和度へのこの条件付き飛び越し(conditional jump)は、その後の色相又は彩度の調節を、前記ユーザにはっきりと見えるようにする。従って、背景において上述したような、無飽和(no saturation)が選択される場合で色が調節される場合などの「目に見えない」変化がない。その代わり、どんな色が付加されるかが前記ユーザにはっきりと見えるであろう。また、或る色相及び彩度のレベルへの前記条件付き飛び越しにより、色が選択されずに、飽和度を調節する前記不合理なコマンドは、防止される。前記現在の設定が、知覚可能に前記BBLから外れている場合には、色相又は彩度の前記調節は、前記所定の色相及び彩度のレベルへの前記飛び越しなしに、通常通りに実行されるであろうことに注意されたい。
【００１１】
好ましくは、前記所定の色相及び彩度のレベルに自動的に設定するステップは、前記現在の色設定が、所定の期間の間知覚可能に前記BBL上にあった場合にしか実行されない。この方法においては、ユーザが、前記設定が「偶然に」前記BBLを横切るよう、前記設定を調節した場合の、前記所定の色相及び彩度のレベルへのデフォルトの飛び越しは防止される。
【００１２】
また、好ましくは、上記の所定の色相及び彩度のレベルは、中程度の緑色(moderate green color)に対応する。（前記CIE色度図との関連において）前記BBLに沿った移動によって青色及び黄色は付加され得ることから、緑色は有利である。他の例においては、例えば、紫色が用いられ得る。 
【００１３】
本発明の別の実施例においては、前記方法は、前記現在の設定が、知覚可能に前記黒体軌跡(BBL)上にあるかどうかを決定するステップと、そうでない場合には、白色に関するユーザ入力が受け取られる場合に、前記設定を自動的に前記BBLへシフトするステップとを更に有する。
【００１４】
白色が調節されようとする場合の、前記BBLへのこの条件付き飛び越しは、その後の白色の調節の効果を、ユーザにはっきりと見えるようにする。背景において上述したように、或るレベルの飽和度が設定されている場合に、白色が調節される場合には、変化は、前記ユーザにとって知覚可能ではないであろう。好ましくは、前記デフォルトの飛び越しは、前記BBL上の或る所定の位置への飛び越し、即ち、所定の色温度、例えば、４０００ケルビンに設定することを含む。前記現在の設定が、既に知覚可能に前記BBL上にある場合には、前記BBLへの飛び越しは全くなしに、前記白色の調節が実行されるであろうことに注意されたい。
【００１５】
本発明の別の態様によれば、多色光源の光の設定を調節するシステムであって、白色、色相及び彩度のうちの少なくとも１つに関する入力をユーザから受け取る手段と、前記ユーザ入力に応じて、前記光源の白色、色相及び彩度を調節する手段と、前記ユーザ入力が受け取られる場合、現在の色相及び彩度のレベルを自動的に変更する手段とを有するシステムが提供される。このシステムは、本発明の上述した態様で得られるのと同様の利点を供給する。
【００１６】
以下で、現在の好ましい実施例を示している添付図を参照して、本発明のこれら及び他の態様をより詳細に説明する。
【発明を実施するための最良の形態】
【００１７】
図１は、本発明の一実施例による多色光源１１の光の設定を調節するシステム１０を示している。システム１０は、第１装置、ここでは遠隔制御装置１２と、遠隔制御装置１２を介してユーザ入力命令を受け取る手段２８、並びに受け取ったユーザ入力に基づいて多色光源１１の出力の白色、色相及び彩度を調節する手段３４を有する第２装置１４とを有する。 
【００１８】
遠隔制御装置１２は、ユーザ命令の入力のための手段を備えている。図１においては、ユーザ入力手段は、各々、減光レベル、白色、色相（色）及び彩度（飽和度）に対応する複数の２トグルノブ(two-toggle knobs)１６、１８、２０、２２によって構成されている。従って、或るノブを動かすことは、問題になっている設定の変更又は低減／増大をもたらす。遠隔制御装置１２は、好ましくは、赤外線などの無線リンク２４を介して、第２装置１４と通信をしている。遠隔制御装置１２は、或る色設定、即ち、白色、色相及び彩度の或る組み合わせの記憶及び／又は検索をするための手段２６を更に備えることが出来る。これらの設定は、デフォルトのプリセットされている設定及び／又はユーザによって手入力で記憶される設定であり得る。
【００１９】
CIE色度図との関連において、システム１０の基本動作は、上述したIPCOM 00029468Dにおいて開示されている方法と同様である。従って、白色の調節は、黒体軌跡(BBL)に沿った移動に対応し、選択色は、BBL上の選択白色点からのベクトルの角度とみなされることができ、色の量又は飽和度は、ベクトルの長さによって決定される。
【００２０】
本発明によれば、第２装置１４は、現在の色設定が、知覚可能に、BBL上にあるかどうかを決定する手段３０と、ユーザ入力が受け取られる場合に、或る色設定に自動的に設定する手段３２とを更に有する。手段３０、３２及び３４は、例えば、光源のソフトウェア及び駆動装置で実施され得る。
【００２１】
図２乃至４に関連して、本発明による方法及びシステムの動作を以下に説明する。ユーザが、色相又は彩度の設定を調節しようとする場合、即ち、前記ユーザが、色相のノブ２０又は彩度のノブ２２のいずれかを最初に動かす場合、まず、選択されているのは、色相又は彩度であることが決定され（図４、ステップＳ１）、その後、決定手段３０が、光源の現在の色設定が、知覚可能に黒体軌跡(BBL)上の位置に対応するかどうかを決定する（ステップＳ２ａ）。そうである場合には、所定の色相及び彩度のレベルに自動的に設定される（ステップＳ３ａ）。従って、BBL上の設定から、BBLから外れた所定の設定への飛び越しがある。これは、図２において、BBL上の位置４０から、BBLから外れた位置４２への移動又は飛び越しとして図示されている。次いで、ユーザが、再び、色相又は彩度のノブを動かす場合には、BBLから外れた位置４２に対応する設定からの色相又は彩度の調節があるであろう（ステップＳ４ａ）。従って、BBL上にあり（色及び／又は飽和なしであり）、色のノブ２０が選択される場合、色のノブが再び動かされる場合に、何が起こるか、即ち、選択されるのはどんな色かを、ユーザにはっきりと見えるようにする、所定の飽和度の所定の色の出力があるであろう。また、BBL上にあり、飽和度のノブ２２が選択される場合、飽和度のノブが再び動かされる場合に、何が起こるか、即ち、設定されるのはどんな飽和度かを、ユーザにはっきりと見えるようにする、より飽和した色の所定の出力があるであろう。好ましくは、所定の位置４２は、中程度の緑色に対応する。
【００２２】
決定手段３０が、現在の設定が、位置４４のような、既に知覚可能にBBLから外れた位置に対応すると決定する場合には、その後の色相又は彩度のノブの起動は、先立つ所定の設定（位置４２）への自動飛び越しが全くない、通常の色相又は彩度のレベルの調節をもたらすであろう。
【００２３】
好ましくは、デフォルトの自動飛び越しは、選ばれた色設定が、或る期間（例えば１分）の間（知覚可能な）BBL上にあった場合にしか、なされないことに注意されたい。この結果、ユーザが、設定が「偶然に」BBLを横切るよう、設定を調節した場合の、所定の色相及び彩度のレベルへのデフォルトの飛び越しは防止される。
【００２４】
現在の設定が知覚可能にBBL上にあるかどうかの決定は、例えば、選ばれた色相及び彩度のレベルに基づいて光源の現在の色の座標を決定し、これらの座標と、既知のBBLの軌跡の座標との間の差を計算することによって実行され得る。差が、所定のしきい値より小さい場合には、現在の設定は知覚可能にBBL上にある。
【００２５】
更に、ユーザが白色の設定を調節しようとする場合、即ち、前記ユーザが白色のノブ１８のいずれかを最初に動かす場合、まず、選択されているのは、白色であることが決定され、その後、上記のように、決定手段３０が、現在の色設定が知覚可能にBBL上にあるかどうかを決定する（ステップＳ２ｂ）。そうではない場合には、設定は自動的にBBLへシフトされる（ステップＳ３ｂ）。従って、BBLから外れた設定からBBL上の設定への飛び越しがある。好ましくは、設定は、BBL上の或る所定の位置へシフトされる。これは、図３において、BBLから外れた位置５０からBBL上の位置５２への移動として図示されている。次いで、ユーザが、再び、白色のノブを動かす場合には、BBL上の位置５２に対応する設定からの白色の調節があるであろう（ステップＳ４ｂ）。白色の調節は、BBLに沿った移動に対応する。従って、BBLから外れており、白色のノブ１８が選択される場合、白色のノブが再び動かされる場合に、何が起こるのか、即ち、設定されるのはどんな色温度かを、ユーザにはっきりと見えるようにする、BBL上の位置に対応する出力があるであろう。好ましくは、所定の位置５２は、約4000Kの色温度に対応する。
【００２６】
決定手段３０が、現在の設定が、位置５４のような、既に知覚可能にBBL上の位置に対応すると決定する場合には、その後の白色のノブの起動は、先立つ（位置５２のような）BBL上の設定への自動飛び越しが全くない、通常の白色の調節をもたらすであろう。
【００２７】
好ましくは、光源の色の素早い調節を可能にするために、遠隔制御装置のユーザ命令の入力のための手段１６、１８、２０、２２は、或るノブの長時間の起動が、問題になっている設定の変化の割合の増大をもたらすよう適応される。例えば、色温度を高めるために白色のノブ１６を動かす場合、最初は、変化の割合はゆっくりである。しかしながら、ノブを長時間押圧し続けることによって、色温度の上昇ペースは加速される。下記の表１において、加速方式の例が見られる。この加速方式は、遠隔制御装置１２の全てのトグルノブ１６、１８、２０、２２に適用可能である。
【表１】
2008522358.tif 000003
【００２８】
本発明は、上記の実施例に限定されない。当業者には、添付している特許請求の範囲において請求されている発明の範囲から外れないで、変形及び修正がなされ得ることが分かるであろう。例えば、第１装置は、第２装置に組み込まれることができ、逆もまた同様である。
【００２９】
また、本発明による方法及びシステムは、LED、蛍光を発する光源などといった、ユーザが調節可能である全ての多色光源に適用可能である。
【００３０】
更に、他の例においては、光源１１は、図１に示されている第２装置１４の外部にあり得る。
【図面の簡単な説明】
【００３１】
【図１】本発明の一実施例による多色光源の光の設定を調節するシステムの概略図である。
【図２】CIE色度図との関連において、本発明の一実施例による所定の色相及び彩度のレベルへのデフォルトの飛び越しを示す。
【図３】CIE色度図との関連において、本発明の一実施例によるBBLへのデフォルトの飛び越しを示す。
【図４】本発明の一実施例による多色光源の光の設定を調節する方法のフローチャートである。
【図１】
2008522358.tif 000004
【図２】
2008522358.tif 000005
【図３】
2008522358.tif 000006
【図４】
2008522358.tif 000007
【国際調査報告】
2008522358.tif 000008
2008522358.tif 000009
2008522358.tif 000010